(57)【要約】本発明の一実施例による無線通信システムにおいて、下りリンク信号を復号する方法であって、この方法は端末によって行われ、基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信するステップと、ＳＰ  ＺＰ  ＣＳＩ−ＲＳリソース設定に従って、下りリンク信号を復号するステップと、を含み、ＳＰ  ＺＰ  ＣＳＩ−ＲＳリソース設定は、複数のＳＰ  ＺＰ  ＣＳＩ−ＲＳリソースを含み、各ＳＰ  ＺＰ  ＣＳＩ−ＲＳリソースを使用するか否かが基地局から指示又は設定される。【選択図】 図５
2020507973.tif 000002
【特許請求の範囲】
【請求項１】
無線通信システムにおいて、下りリンク信号を復号する方法であって、
前記方法は、端末によって行われ、
基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信するステップと、
前記ＳＰ  ＺＰ  ＣＳＩ−ＲＳリソース設定に従って、下りリンク信号を復号するステップと、を含み、
前記ＳＰ  ＺＰ  ＣＳＩ−ＲＳリソース設定は、複数のＳＰ  ＺＰ  ＣＳＩ−ＲＳリソースを含み、
各ＳＰ  ＺＰ  ＣＳＩ−ＲＳリソースを使用するか否かが前記基地局から指示又は設定されることを特徴とする、方法。
【請求項２】
前記ＳＰ  ＺＰ  ＣＳＩ−ＲＳリソース設定は、前記端末の測定のためのリソース設定とは独立していることを特徴とする、請求項１に記載の方法。
【請求項３】
前記ＳＰ  ＺＰ  ＣＳＩ−ＲＳリソース設定に従って、前記リソース設定において指示する周期及びオフセットに応じて、イネーブルされたＳＰ  ＺＰ  ＣＳＩ−ＲＳリソースにおいてレートマッチングを行うステップをさらに含むことを特徴とする、請求項１に記載の方法。
【請求項４】
前記ＳＰ  ＺＰ  ＣＳＩ−ＲＳリソースをイネーブル又はディセーブルするための信号は、ＤＣＩ（ｄｏｗｎｌｉｎｋ  ｃｏｎｔｒｏｌ  ｉｎｆｏｒｍａｔｉｏｎ）又はＭＡＣ（ｍｅｄｉｕｍ  ａｃｃｅｓｓ  ｃｏｎｔｒｏｌ）シグナリングを含むことを特徴とする、請求項１に記載の方法。
【請求項５】
前記各ＳＰ  ＺＰ  ＣＳＩ−ＲＳリソースは、周波数設定を有することを特徴とする、請求項１に記載の方法。
【請求項６】
前記周波数設定は、前記ＳＰ  ＺＰ  ＣＳＩ−ＲＳリソース設定とは別のシグナリングで与えられることを特徴とする、請求項１に記載の方法。
【請求項７】
前記各ＳＰ  ＺＰ  ＣＳＩ−ＲＳリソースは、前記基地局が用いる送信ビームと連携され、
前記下りリンク信号の復号に前記送信ビームに連携されたＳＰ  ＺＰ  ＣＳＩ−ＲＳリソースが用いられることを特徴とする、請求項１に記載の方法。
【請求項８】
無線通信システムにおいて、下りリンク信号を復号する端末であって、
送信器及び受信器と、
前記送信器及び受信器を制御するように構成されたプロセッサと、を含み、
前記プロセッサは、
基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信し、
前記ＳＰ  ＺＰ  ＣＳＩ−ＲＳリソース設定に従って、下りリンク信号を復号し、
前記ＳＰ  ＺＰ  ＣＳＩ−ＲＳリソース設定は、複数のＳＰ  ＺＰ  ＣＳＩ−ＲＳリソースを含み、
各ＳＰ  ＺＰ  ＣＳＩ−ＲＳリソースを使用するか否かが前記基地局から指示又は設定されることを特徴とする、端末。
【請求項９】
前記ＳＰ  ＺＰ  ＣＳＩ−ＲＳリソース設定は、前記端末の測定のためのリソース設定とは独立していることを特徴とする、請求項８に記載の端末。
【請求項１０】
前記プロセッサは、前記ＳＰ  ＺＰ  ＣＳＩ−ＲＳリソース設定に従って、前記リソース設定において指示する周期及びオフセットに応じて、イネーブルされたＳＰ  ＺＰ  ＣＳＩ−ＲＳリソースにおいてレートマッチングを行うことを特徴とする、請求項８に記載の端末。
【請求項１１】
前記ＳＰ  ＺＰ  ＣＳＩ−ＲＳリソースをイネーブル又はディセーブルするための信号は、ＤＣＩ（ｄｏｗｎｌｉｎｋ  ｃｏｎｔｒｏｌ  ｉｎｆｏｒｍａｔｉｏｎ）又はＭＡＣ（ｍｅｄｉｕｍ  ａｃｃｅｓｓ  ｃｏｎｔｒｏｌ）シグナリングを含むことを特徴とする、請求項８に記載の端末。
【請求項１２】
前記各ＳＰ  ＺＰ  ＣＳＩ−ＲＳリソースは、周波数設定を有することを特徴とする、請求項８に記載の端末。
【請求項１３】
前記周波数設定は、前記ＳＰ  ＺＰ  ＣＳＩ−ＲＳリソース設定とは別のシグナリングで与えられることを特徴とする、請求項８に記載の端末。
【請求項１４】
前記各ＳＰ  ＺＰ  ＣＳＩ−ＲＳリソースは、前記基地局が用いる送信ビームと連携され、
前記下りリンク信号の復号に前記送信ビームに連携されたＳＰ  ＺＰ  ＣＳＩ−ＲＳリソースが用いられることを特徴とする、請求項８に記載の端末。
【請求項１５】
無線通信システムにおいて、下りリンク信号を送信する方法であって、
前記方法は、基地局によって行われ、
端末に半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を送信するステップと、
前記ＳＰ  ＺＰ  ＣＳＩ−ＲＳリソース設定に従って、下りリンク信号のためのリソース要素をマッピングして、前記下りリンク信号を送信するステップと、を含み、
前記ＳＰ  ＺＰ  ＣＳＩ−ＲＳリソース設定は、複数のＳＰ  ＺＰ  ＣＳＩ−ＲＳリソースを含み、
各ＳＰ  ＺＰ  ＣＳＩ−ＲＳリソースを使用するか否かを指示又は設定するシグナリングが前記端末に送信されることを特徴とする、方法。
【発明の詳細な説明】
【技術分野】
【０００１】
本発明は、無線通信システムに関し、具体的には、下りリンク信号を受信又は送信するための方法及びそのための装置に関する。
【背景技術】
【０００２】
多数の通信機器がより大きな通信容量を要求することにより、既存の無線アクセス技術（ｒａｄｉｏ  ａｃｃｅｓｓ  ｔｅｃｈｎｏｌｏｇｙ；ＲＡＴ）に比べて向上したモバイルブロードバンド通信の必要性が高まっている。また多数の機器及びモノを連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も次世代通信において考慮すべき主要なイシューである。また、信頼度（ｒｅｌｉａｂｉｌｉｔｙ）及び遅延（ｌａｔｅｎｃｙ）に敏感なサービス／を考慮した通信デザインが論議されている。このように、ｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ（ｍａｓｓｉｖｅ  ＭＴＣ；ｍＭＴＣ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代ＲＡＴの導入が論議されていて、本発明では、便宜のために、当該技術をニューラット（Ｎｅｗ  ｒａｔ）と呼ぶ。
【発明の概要】
【発明が解決しようとする課題】
【０００３】
本発明は、下りリンク信号の受信又は送信のための案を提案しようとする。より詳細には、基地局又は端末のレートマッチングに関する設定、このシグナリング及びこれによる下りリンク信号の受信又は送信のための案を提案しようとする。
【０００４】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００５】
本発明の一実施例による無線通信システムにおいて、下りリンク信号を復号する方法であって、前記方法は、端末によって行われ、基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信するステップと、前記ＳＰ  ＺＰ  ＣＳＩ−ＲＳリソース設定に従って、下りリンク信号を復号するステップと、を含み、前記ＳＰ  ＺＰ  ＣＳＩ−ＲＳリソース設定は、複数のＳＰ  ＺＰ  ＣＳＩ−ＲＳリソースを含み、各ＳＰ  ＺＰ  ＣＳＩ−ＲＳリソースを使用するか否かが前記基地局から指示又は設定される。
【０００６】
追加又は代案として、前記ＳＰ  ＺＰ  ＣＳＩ−ＲＳリソース設定は、前記端末の測定のためのリソース設定とは独立している。
【０００７】
追加又は代案として、前記方法は、前記ＳＰ  ＺＰ  ＣＳＩ−ＲＳリソース設定に従って、前記リソース設定において指示する周期及びオフセットに応じて、イネーブルされたＳＰ  ＺＰ  ＣＳＩ−ＲＳリソースにおいてレートマッチングを行うステップをさらに含む。
【０００８】
追加又は代案として、前記ＳＰ  ＺＰ  ＣＳＩ−ＲＳリソースをイネーブル又はディセーブルするための信号は、ＤＣＩ（ｄｏｗｎｌｉｎｋ  ｃｏｎｔｒｏｌ  ｉｎｆｏｒｍａｔｉｏｎ）又はＭＡＣ（ｍｅｄｉｕｍ  ａｃｃｅｓｓ  ｃｏｎｔｒｏｌ）シグナリングを含む。
【０００９】
追加又は代案として、前記各ＳＰ  ＺＰ  ＣＳＩ−ＲＳリソースは周波数設定を有する。
【００１０】
追加又は代案として、前記周波数設定は、前記ＳＰ  ＺＰ  ＣＳＩ−ＲＳリソース設定とは別のシグナリングで与えられる。
【００１１】
追加又は代案として、前記各ＳＰ  ＺＰ  ＣＳＩ−ＲＳリソースは、前記基地局が用いる送信ビームと連携され、前記下りリンク信号の復号に前記送信ビームに連携されたＳＰ  ＺＰ  ＣＳＩ−ＲＳリソースが用いられる。
【００１２】
本発明のまた別の一実施例による無線通信システムにおいて、下りリンク信号を復号する端末であって、送信器及び受信器と、前記送信器及び受信器を制御するように構成されたプロセッサと、を含み、前記プロセッサは、基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信し、前記ＳＰ  ＺＰ  ＣＳＩ−ＲＳリソース設定に従って、下りリンク信号を復号し、前記ＳＰ  ＺＰ  ＣＳＩ−ＲＳリソース設定は、複数のＳＰ  ＺＰ  ＣＳＩ−ＲＳリソースを含み、各ＳＰ  ＺＰ  ＣＳＩ−ＲＳリソースを使用するか否かが前記基地局から指示又は設定される。
【００１３】
追加又は代案として、前記ＳＰ  ＺＰ  ＣＳＩ−ＲＳリソース設定は、前記端末の測定のためのリソース設定とは独立している。
【００１４】
追加又は代案として、前記プロセッサは、前記ＳＰ  ＺＰ  ＣＳＩ−ＲＳリソース設定に従って、前記リソース設定において指示する周期及びオフセットに応じて、イネーブルされたＳＰ  ＺＰ  ＣＳＩ−ＲＳリソースにおいてレートマッチングを行う。
【００１５】
追加又は代案として、前記ＳＰ  ＺＰ  ＣＳＩ−ＲＳリソースをイネーブル又はディセーブルするための信号は、ＤＣＩ（ｄｏｗｎｌｉｎｋ  ｃｏｎｔｒｏｌ  ｉｎｆｏｒｍａｔｉｏｎ）又はＭＡＣ（ｍｅｄｉｕｍ  ａｃｃｅｓｓ  ｃｏｎｔｒｏｌ）シグナリングを含む。
【００１６】
追加又は代案として、前記各ＳＰ  ＺＰ  ＣＳＩ−ＲＳリソースは周波数設定を有する。
【００１７】
追加又は代案として、前記周波数設定は、前記ＳＰ  ＺＰ  ＣＳＩ−ＲＳリソース設定とは別のシグナリングで与えられる。
【００１８】
追加又は代案として、前記各ＳＰ  ＺＰ  ＣＳＩ−ＲＳリソースは、前記基地局が用いる送信ビームと連携され、前記下りリンク信号の復号に前記送信ビームに連携されたＳＰ  ＺＰ  ＣＳＩ−ＲＳリソースが用いられる。
【００１９】
本発明のまた別の一実施例による無線通信システムにおいて、下りリンク信号を送信する方法であって、前記方法は、基地局によって行われ、端末に半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を送信するステップと、前記ＳＰ  ＺＰ  ＣＳＩ−ＲＳリソース設定に従って、下りリンク信号のためのリソース要素をマッピングして、前記下りリンク信号を送信するステップと、を含み、前記ＳＰ  ＺＰ  ＣＳＩ−ＲＳリソース設定は、複数のＳＰ  ＺＰ  ＣＳＩ−ＲＳリソースを含み、各ＳＰ  ＺＰ  ＣＳＩ−ＲＳリソースを使用するか否かを指示又は設定するシグナリングが前記端末に送信される。
【００２０】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００２１】
本発明によれば、端末の下りリンクの受信を効率的に行うことができる。
【００２２】
本発明で得られる効果は以上に言及した効果に制限されず、言及しなかった他の効果は下記の記載から本発明が属する当該技術分野における当業者に明確に理解されるであろう。
【図面の簡単な説明】
【００２３】
本発明に関する理解を助けるために詳細な説明の一部として含まれる添付の図面は、本発明に関する実施例を提供し、詳細な説明と共に本発明の技術的思想を説明する。
【００２４】
【図１】無線通信システムで用いられる無線フレームの構造を例示する図である。
【図２】無線通信システムにおいて下りリンク／上りリンク（ＤＬ／ＵＬ）スロット構造の一例を示す図である。
【図３】３ＧＰＰ  ＬＴＥ／ＬＴＥ−Ａシステムで用いられる下りリンク（ｄｏｗｎｌｉｎｋ，ＤＬ）サブフレームの構造を例示する図である。
【図４】３ＧＰＰ  ＬＴＥ／ＬＴＥ−Ａシステムで用いられる上りリンク（ｕｐｌｉｎｋ，ＵＬ）サブフレームの構造を例示する図である。
【図５】ＺＰ−ＣＳＩ−ＲＳリソースと共有リソースセッティングを有するレートマッチングセッティングを示す図である。
【図６】ＺＰ−ＣＳＩ−ＲＳリソース設定と独立したリソースセッティングを有するレートマッチングセッティングを示す図である。
【図７】測定セッティング内に含まれたレートマッチングのためのＺＰ−ＣＳＩ−ＲＳ設定を示す図である。
【図８】リソースセッティングにレートマッチングセッティングが割り当てられた例を示す図である。
【図９】本発明の一実施例によるレートマッチングのための制御情報のペイロードの例を示す図である。
【図１０】本発明の一実施例によるレートマッチングのための制御情報のペイロードの例を示す図である。
【図１１】本発明の一実施例によるレートマッチングのための制御情報のペイロードの例を示す図である。
【図１２】本発明の一実施例によるレートマッチングのための制御情報のペイロードの例を示す図である。
【図１３】本発明の一実施例によるレートマッチングのための制御情報のペイロードの例を示す図である。
【図１４】本発明の一実施例によるレートマッチングのための制御情報のペイロードの例を示す図である。
【図１５】本発明の一実施例によるレートマッチングのための制御情報のペイロードの例を示す図である。
【図１６】本発明の一実施例によるレートマッチングのための制御情報のペイロードの例を示す図である。
【図１７】本発明の一実施例によるレートマッチングのための制御情報のペイロードの例を示す図である。
【図１８】送信ビームとレートマッチングリソースとの関係を説明するための図である。
【図１９】本発明の実施例を具現化するための装置のブロック図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２６】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２７】
本発明において、ユーザ機器（ｕｓｅｒ  ｅｑｕｉｐｍｅｎｔ，ＵＥ）は、固定していても、移動性を有していてもよいもので、基地局（ｂａｓｅ  ｓｔａｔｉｏｎ，ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）、送信ポイント（ｔｒａｎｓｍｉｓｓｉｏｎ  ｐｏｉｎｔ；ＴＰ）などと呼ぶこともできる。以下の本発明に関する説明では、ＢＳをｅＮＢと称する。
【００２８】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ，ＲＲＨ）、無線リモートユニット（ｒａｄｉｏ  ｒｅｍｏｔｅ  ｕｎｉｔ，ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ，ＣＡＳ）（即ち、単一ノードシステム）と違い、多重ノードシステムにおいて複数のノードは一般に一定間隔以上で離れて位置する。これらの複数のノードは、各ノードの動作を制御したり、各ノードを通して送信／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロセル／フェムトセル／ピコセル）システムと見なすことができる。複数のノードのそれぞれが形成した多重セルがカバレッジによってオーバーレイする形態で構成されると、これらの多重セルが形成したネットワークを特に多重階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２９】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現化の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３０】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ＴＸ／ＲＸ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３１】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＴＥ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３２】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨの上で、或いは、を介して下りリンクデータ／制御情報を送信するという表現と同じ意味で使われる。
【００３３】
図１は、無線通信システムで用いられる無線フレーム構造の一例を示す図である。特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ，ＦＤＤ）用フレーム構造を示しており、図１（ｂ）は、３ＧＰＰ  ＬＴＥ／ＬＴＥ−Ａシステムで用いられる時間分割デュプレックス（ｔｉｍｅ  ｄｉｖｉｓｉｏｎ  ｄｕｐｌｅｘ，ＴＤＤ）用フレーム構造を示している。
【００３４】
図１を参照すると、３ＧＰＰ  ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。１無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ，ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３５】
無線フレームは、デュプレックス（ｄｕｐｌｅｘ）技法によって別々に構成（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３６】
表１は、ＴＤＤで、無線フレームにおけるサブフレームのＤＬ−ＵＬ構成（ｃｏｎｆｉｇｕｒａｔｉｏｎ）を例示するものである。
【００３７】
【表１】
2020507973.tif 000003
【００３８】
表１において、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成（ｃｏｎｆｉｇｕｒａｔｉｏｎ）を例示するものである。
【００３９】
【表２】
2020507973.tif 000004
【００４０】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４１】
図２を参照すると、スロットは、時間ドメインで複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメインで複数のリソースブロック（ｒｅｓｏｕｒｃｅ  ｂｌｏｃｋ，ＲＢ）を含む。ＯＦＤＭシンボルは、１シンボル区間を意味することもある。図２を参照すると、各スロットで送信される信号は、
2020507973.tif 000005
個の副搬送波（ｓｕｂｃａｒｒｉｅｒ）と
2020507973.tif 000006
個のＯＦＤＭシンボルとで構成されるリソース格子（ｒｅｓｏｕｒｃｅ  ｇｒｉｄ）と表現することができる。ここで、
2020507973.tif 000007
は、下りリンクスロットにおけるリソースブロック（ｒｅｓｏｕｒｃｅ  ｂｌｏｃｋ，ＲＢ）の個数を表し、
2020507973.tif 000008
は、ＵＬスロットにおけるＲＢの個数を表す。
2020507973.tif 000009
と
2020507973.tif 000010
は、ＤＬ送信帯域幅とＵＬ送信帯域幅にそれぞれ依存する。
2020507973.tif 000011
は、下りリンクスロットにおけるＯＦＤＭシンボルの個数を表し、
2020507973.tif 000012
は、ＵＬスロットにおけるＯＦＤＭシンボルの個数を表す。
2020507973.tif 000013
は、１つのＲＢを構成する副搬送波の個数を表す。
【００４２】
ＯＦＤＭシンボルは、多重接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ（ｃｙｃｌｉｃ  ｐｒｅｆｉｘ）長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2020507973.tif 000014
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及び直流（Ｄｉｒｅｃｔ  Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ  ｆｒｅｑｕｅｎｃｙ，ｆ０）にマッピング（ｍａｐｐｉｎｇ）される。搬送波周波数は中心周波数（ｃｅｎｔｅｒ  ｆｒｅｑｕｅｎｃｙ）と呼ばれることもある。
【００４３】
１ＲＢは、時間ドメインで
2020507973.tif 000015
個（例えば、７個）の連続するＯＦＤＭシンボルと定義され、周波数ドメインでｃ個（例えば、１２個）の連続する副搬送波によって定義される。参考として、１つのＯＦＤＭシンボルと１つの副搬送波で構成されたリソースをリソース要素（ｒｅｓｏｕｒｃｅ  ｅｌｅｍｅｎｔ，ＲＥ）或いはトーン（ｔｏｎｅ）という。したがって、１つのＲＢは、
2020507973.tif 000016
個のリソース要素で構成される。リソース格子における各リソース要素は、１つのスロットにおけるインデックス対（ｋ，１）によって固有に定義できる。ｋは、周波数ドメインで０から
2020507973.tif 000017
まで与えられるインデックスであり、ｌは、時間ドメインで０から
2020507973.tif 000018
まで与えられるインデックスである。
【００４４】
１サブフレームにおいて
2020507973.tif 000019
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。即ち、ｎＰＲＢ＝ｎＶＲＢとなる。局部タイプのＶＲＢには０から
2020507973.tif 000020
の順に番号が与えられ、
2020507973.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４５】
図３は、３ＧＰＰ  ＬＴＥ／ＬＴＥ−Ａシステムで用いられる下りリンク（ｄｏｗｎｌｉｎｋ，ＤＬ）サブフレーム構造を例示する図である。
【００４６】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４７】
ＰＤＣＣＨを介して送信される制御情報を下りリンク制御情報（ｄｏｗｎｌｉｎｋ  ｃｏｎｔｒｏｌ  ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ  ｓｈａｒｅｄ  ｃｈａｎｎｅｌ，ＤＬ−ＳＣＨ）の送信フォーマット及びリソース割り当て情報、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報、ページングチャネル（ｐａｇｉｎｇ  ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割り当て情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄ  ｃｈａｎｎｅｌ，ＤＬ−ＳＣＨ）の送信フォーマット（Ｔｒａｎｓｍｉｔ  Ｆｏｒｍａｔ）及びリソース割り当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在の３ＧＰＰ  ＬＴＥシステムでは、上りリンク用としてフォーマット０及び４、下りリンク用としてフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環シフトＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要求、ＤＬ割り当てインデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組み合わせが下りリンク制御情報としてＵＥに送信される。
【００４８】
一般に、ＵＥに構成された送信モード（ｔｒａｎｓｍｉｓｓｉｏｎ  ｍｏｄｅ，ＴＭ）によって当該ＵＥに送信可能なＤＣＩフォーマットが異なる。換言すれば、特定の送信モードで構成されたＵＥのためには、いかなるＤＣＩフォーマットを用いてもよいわけではなく、特定の送信モードに対応する一定のＤＣＩフォーマットのみを用いることができる。
【００４９】
ＰＤＣＣＨは、１つ又は複数の連続した制御チャネル要素（ｃｏｎｔｒｏｌ  ｃｈａｎｎｅｌ  ｅｌｅｍｅｎｔ，ＣＣＥ）のアグリゲーション（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割り当てユニット（ｕｎｉｔ）である。ＣＣＥは、複数のリソース要素グループ（ｒｅｓｏｕｒｃｅ  ｅｌｅｍｅｎｔ  ｇｒｏｕｐ，ＲＥＧ）に対応する。例えば、１ＣＣＥは９個のＲＥＧに対応し、１ＲＥＧは４個のＲＥに対応する。３ＧＰＰ  ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、単に探索空間（Ｓｅａｒｃｈ  Ｓｐａｃｅ，ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ固有（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。以下の表は、探索空間を定義するアグリゲーションレベル（ａｇｇｒｅｇａｔｉｏｎ  ｌｅｖｅｌ）を例示するものである。
【００５０】
【表３】
2020507973.tif 000022
【００５１】
１つのＰＤＣＣＨ候補は、ＣＣＥアグリゲーションレベルによって１、２、４又は８個のＣＣＥに対応する。ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ，ＢＤ））という。
【００５２】
ｅＮＢは、データ領域を通してＵＥ或いはＵＥグループのためのデータを送信することができる。データ領域を通して送信されるデータをユーザデータとも呼ぶ。ユーザデータの送信のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読み込むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスク（ｍａｓｋｉｎｇ）されており、「Ｂ」という無線リソース（例えば、周波数位置）及び「Ｃ」という送信形式情報（例えば、トランスポートブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号（ｒｅｆｅｒｅｎｃｅ  ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル固有（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ固有（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＤＭ  ＲＳのみが送信される場合、データと同じプリコーダを適用して送信されるＤＭ  ＲＳは復調の目的に限って用いることができるため、チャネル測定用ＲＳを別途に提供しなければならない。例えば、３ＧＰＰ  ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５４】
図４は、３ＧＰＰ  ＬＴＥ／ＬＴＥ−Ａシステムで用いられる上りリンク（ｕｐｌｉｎｋ，ＵＬ）サブフレーム構造の一例を示す図である。
【００５５】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌｓ）が上りリンク制御情報（ｕｐｌｉｎｋ  ｃｏｎｔｒｏｌ  ｉｎｆｏｒｍａｔｉｏｎ，ＵＣＩ）を運ぶために制御領域に割り当てられることができる。１つ又は複数のＰＵＳＣＨ（ｐｈｙｓｉｃａｌ  ｕｐｌｉｎｋ  ｓｈａｒｅｄ  ｃｈａｎｎｅｌｓ）がユーザデータを運ぶためにＵＬサブフレームのデータ領域に割り当てられてもよい。
【００５６】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５７】
ＰＵＣＣＨは、次の制御情報を送信するために用いることができる。
【００５８】
−  ＳＲ（Ｓｃｈｅｄｕｌｉｎｇ  Ｒｅｑｕｅｓｔ）：上りリンクＵＬ−ＳＣＨリソースを要求するために用いられる情報である。ＯＯＫ（Ｏｎ−Ｏｆｆ  Ｋｅｙｉｎｇ）方式を用いて送信される。
【００５９】
−  ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨの受信に成功したか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（単に、ＡＣＫ）、ネガティブＡＣＫ（単に、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００６０】
−  ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６１】
ＵＥがサブフレームで送信可能な上りリンク制御情報（ＵＣＩ）の量は、制御情報送信に利用可能なＳＣ−ＦＤＭＡの個数に依存する。ＵＣＩに利用可能なＳＣ−ＦＤＭＡは、サブフレームにおいて参照信号の送信のためのＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００６２】
下記の表４に、ＬＴＥ／ＬＴＥ−ＡシステムでＰＵＣＣＨフォーマットとＵＣＩとのマッピング関係を示す。
【００６３】
【表４】
2020507973.tif 000023
【００６４】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ  ｓｔａｔｅ  ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００６５】
参照信号（Ｒｅｆｅｒｅｎｃｅ  Ｓｉｇｎａｌ；ＲＳ）
【００６６】
無線通信システムにおいてパケットを送信する時、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６７】
多重アンテナを用いてデータを送受信する場合には、各送信アンテナと受信アンテナ間のチャネル状況を知ってこそ正しい信号を受信することができる。したがって、各送信アンテナごとに、より詳しくはアンテナポート（ａｎｔｅｎｎａ  ｐｏｒｔ）ごとに異なった参照信号が存在しなければならない。
【００６８】
参照信号は上りリンク参照信号と下りリンク参照信号とに区別できる。現在、ＬＴＥシステムには、上りリンク参照信号として、
【００６９】
ｉ）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ，ＤＭ−ＲＳ）
【００７０】
ｉｉ）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ，ＳＲＳ）がある。
【００７１】
一方、下りリンク参照信号としては、
【００７２】
ｉ）セル内の全ての端末が共有するセル固有参照信号（Ｃｅｌｌ−ｓｐｅｃｉｆｉｃ  Ｒｅｆｅｒｅｎｃｅ  Ｓｉｇｎａｌ，ＣＲＳ）
【００７３】
ｉｉ）特定端末だけのための端末固有参照信号（ＵＥ−ｓｐｅｃｉｆｉｃ  Ｒｅｆｅｒｅｎｃｅ  Ｓｉｇｎａｌ）
【００７４】
ｉｉｉ）ＰＤＳＣＨが送信される場合、コヒーレントな復調のために送信される（ＤｅＭｏｄｕｌａｔｉｏｎ−Ｒｅｆｅｒｅｎｃｅ  Ｓｉｇｎａｌ，ＤＭ−ＲＳ）
【００７５】
ｉｖ）下りリンクＤＭＲＳが送信される場合、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）
【００７６】
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００７７】
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７８】
参照信号はその目的によって２種類に大別できる。チャネル情報取得のために用いられる参照信号と、データ復調のために用いられる参照信号とがある。前者は、ＵＥが下りリンク上のチャネル情報を取得できることにその目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時、該当リソースに共に送る参照信号であって、端末は当該参照信号を受信することによってチャネル測定してデータを復調することが可能になる。この参照信号は、データの送信される領域に送信されなければならない。
【００７９】
ＬＴＥのＦＤ−ＭＩＭＯとＮｅｗ  ＲＡＴのＭＩＭＯにおいて、非周期的ＣＳＩ−ＲＳ（ａｐｅｒｉｏｄｉｃ  ＣＳＩＲＳ；Ａ−ＣＳＩＲＳ）が論議されている。これは、特定時点（例えば、サブフレーム、スロットなど）に送信されるＣＳＩ−ＲＳであって、ＤＣＩで端末に当該Ａ−ＣＳＩＲＳの送信時点を知らせて、端末が当該ＲＳをＣＳＩ測定に用いるようにする。このように、Ａ−ＣＳＩＲＳが送信されるとき、当該ＲＳが送信される時間／位置に送信されるデータシンボルの送信方法が考慮される必要がある。
【００８０】
ＬＴＥで用いられる方式は、レートマッチング（ｒａｔｅ−ｍａｔｃｈｉｎｇ；ＲＭ）を用いる方式である。このように、Ａ−ＣＳＩＲＳ  ＲＥにおいてデータシンボルをレートマッチングしようとする場合、基地局と端末の動作は以下のようである。基地局がＰＤＳＣＨのＲＥをマッピングするとき、基地局は端末にＡ−ＣＳＩＲＳを送信するＲＳのＲＥパターンを含むゼロ電力（ｚｅｒｏ−ｐｏｗｅｒ；ＺＰ）ＣＳＩ−ＲＳ（ＺＰ−ＣＳＩ−ＲＳ）を設定する。基地局は、当該ＺＰ−ＣＳＩ−ＲＳ  ＲＥには最初からＰＤＳＣＨを送信しないと仮定して、ＲＥマッピングした後、ＰＤＳＣＨを送信する。また、基地局は、Ａ−ＣＳＩＲＳ  ＲＥにはＡ−ＣＳＩＲＳを送信する。また、端末は、このような送信動作を仮定して、ＰＤＳＣＨに対する復号（ｄｅｃｏｄｉｎｇ）を行う。即ち、端末は、ＺＰ−ＣＳＩ−ＲＳが設定されたＰＤＳＣＨミューティング（ｍｕｔｉｎｇ）ＲＥではＰＤＳＣＨが最初からマッピングされないと仮定した上で復号を行う。
【００８１】
半持続的（Ｓｅｍｉ−ｐｅｒｓｉｓｔｅｎｔ；ＳＰ）ＣＳＩ−ＲＳ（ＳＰ−ＣＳＩＲＳ）もＬＴＥのＦＤ−ＭＩＭＯとＮｅｗ  ＲＡＴのＭＩＭＯにおいて考慮されている。これは、Ａ−ＣＳＩＲＳと同様に、イネーブル／ディセーブル（ｅｎａｂｌｅ／ｄｉｓａｂｌｅ）シグナリングを介して一定時間区間でＣＳＩ−ＲＳが送信される方法であって、Ａ−ＣＳＩＲＳのように時点によってＣＳＩ−ＲＳの送信可否が異なり得るという特徴がある。
【００８２】
このような方式を利用するために、基地局と端末はレートマッチングを使用するためのシグナリング及び設定が必要である。特に、上述のようなＡ−ＣＳＩＲＳは、サブフレーム単位ごとに動的に送信され得るため、これに対応する動的シグナリング（例えば、ＰＤＣＣＨを介したＤＣＩのようなシグナリング）及びそのための上位層シグナリングを介したＺＰ−ＣＳＩ−ＲＳ設定が必要である。以下、「レートマッチング」を単に「ＲＭ」と呼ぶこともある。また、ＺＰ  ＣＳＩ−ＲＳ又はＮＺＰ  ＣＳＩ−ＲＳは、当該「ＣＳＩ−ＲＳ」が送信されるリソースを称してもよく、ＣＳＩ−ＲＳ及びＣＳＩ−ＲＳが送信されるリソースの全てを称してもよい。
【００８３】
レートマッチングのためのＺＰ−ＣＳＩ−ＲＳ設定方法（ｃｏｎｆｉｇｕｒａｔｉｏｎ  ｍｅｔｈｏｄ  ｆｏｒ  ｒａｔｅ−ｍａｔｃｈｉｎｇ）
【００８４】
上述のようなレートマッチングシグナリングのために、以下のような設定が定義され基地局と端末に設定されることができる。
【００８５】
１．「レートマッチングセッティング」設定
【００８６】
オプション１：レートマッチングセッティングは、ＣＳＩ取得又は／及びビーム管理フレームワーク（ｂｅａｍ  ｍａｎａｇｅｍｅｎｔ  ｆｒａｍｅｗｏｒｋ）のための測定セッティングと共有する「リソースセッティング」において、レートマッチングに用いるＺＰ−ＣＳＩ−ＲＳリソース（又は、リソースグループ）を指定するＬ’個の「リンク（ｌｉｎｋ）」の集合を意味する。図５は、ＺＰ−ＣＳＩ−ＲＳリソースと共有リソースセッティングを有するレートマッチングセッティングを示す。
【００８７】
−  図５において、各リンクはＺＰ−ＣＳＩ−ＲＳリソースグループを意味する。特に、各リンクには複数のリソースセッティングがレートマッチングパターンとして設定可能であり（例えば、図５の「レートマッチングセッティング」のリンク２を参照）、この場合、実際に適用されるＺＰ−ＣＳＩ−ＲＳ  ＲＥパターンは、設定された複数のＺＰ−ＣＳＩ−ＲＳリソースＲＥパターンの和集合である。
【００８８】
−  リソースセッティングは、ＺＰ−ＣＳＩ−ＲＳのためのＲＳ  ＲＥパターン候補の集合を意味する。各リソースセッティングに他種のＲＳ（例えば、ＤＭＲＳ、ＳＲＳなど）パターンが含まれてもよい。このようなリソースセッティングのために、ＣＳＩ取得／ビーム管理フレームワークなどのために定義された、ＮＺＰ−ＣＳＩ−ＲＳのためのＲＳ  ＲＥパターンを再使用することができ、この場合、ＮＺＰ−ＣＳＩ−ＲＳを使用しても、レートマッチングセッティングでリンクしたとき、基地局と端末は自動的に当該リソースをＺＰ−ＣＳＩ−ＲＳとして解釈する。
【００８９】
オプション２：レートマッチングセッティングは、ＣＳＩ取得又は／及びビーム管理フレームワークのための測定セッティングとは別として設定した（又は「ＣＳＩ取得又は／及びビーム管理フレームワーク用とは別として設定した」）「リソースセッティング」においてレートマッチングに用いるＺＰ−ＣＳＩ−ＲＳリソース（又は、リソースグループ）を指定するＬ’個の「リンク」の集合を意味する。図６は、ＺＰ−ＣＳＩ−ＲＳリソース設定と独立したリソースセッティングを有するレートマッチングセッティングを示す。
【００９０】
−  各リンクはＺＰ−ＣＳＩ−ＲＳリソースグループを意味する。特に、各リンクには複数のリソースがレートマッチングパターンとして設定可能であり（例えば、図６においてレートマッチングセッティングのリンク２を参照）、この場合、実際に適用されるＺＰ−ＣＳＩ−ＲＳ  ＲＥパターンは、設定された複数のＺＰ−ＣＳＩ−ＲＳリソースＲＥパターンの和集合である。
【００９１】
−  リソースセッティングはＺＰ−ＣＳＩ−ＲＳのためのＲＳ  ＲＥパターン候補の集合を意味する。このリソースセッティングにＮＺＰ−ＣＳＩ−ＲＳ及び他種のＲＳ（例えば、ＤＭＲＳ、ＳＲＳなど）パターンが含まれてもよい。このリソースセッティングは、Ｍ（Ｍ＞＝１）個の候補ＺＰ−ＣＳＩ−ＲＳパターンを含む。
【００９２】
特に、設定及びシグナリング上の便宜のために（例えば、オーバーヘッド減少）、可能なＣＳＩ−ＲＳ  ＲＥパターン候補のうち一部のみでＲＭのためのＺＰ−ＣＳＩ−ＲＳパターンが定義されてもよい。即ち、レートマッチングのためのリソースセッティングは、可能なＣＳＩ−ＲＳパターンのうち全部又は一部のみを含むことができる。例えば、ＺＰ−ＣＳＩ−ＲＳ  ＲＥパターンはＣＳＩ−ＲＳパターンのうち特定のアンテナポート数を仮定したパターン（例えば、４ポート）のみが含まれることができる。
【００９３】
このリソースセッティングは、ＲＲＣのような上位層シグナリングで設定して端末に伝達されることができる。
【００９４】
他の設定：
【００９５】
−  各リンクには周波数グラニュラリティ設定（ｆｒｅｑｕｅｎｃｙ  ｇｒａｎｕｌａｒｉｔｙ  ｃｏｎｆｉｇｕｒａｔｉｏｎ）（即ち、広帯域／部分帯域／副帯域（ｗｉｄｅｂａｎｄ／ｐａｒｔｉａｌ  ｂａｎｄ／ｓｕｂｂａｎｄ））が含まれ得る。本明細書において、周波数グラニュラリティとは、周波数割り当ての単位を称してもよい。例えば、周波数グラニュラリティが広帯域として設定される場合、周波数割り当てがｘ個のリソースブロックに該当して、周波数グラニュラリティが部分帯域として設定される場合、周波数割り当てがｙ個のリソースブロックに該当して、周波数グラニュラリティが副帯域として設定される場合、周波数割り当てがｚ個のリソースブロックに該当して、ここで、ｘ＞ｙ＞ｚ＞０であり、ｘ、ｙ、ｚは整数である。また、周波数グラニュラリティは、通常に一基地局又は一サービングセルで一端末のための周波数割り当ての単位を称して、上記で例示した数のリソースブロック内において一端末のためのデータ、信号などが基地局又はサービングセルによって送信される。さらに、周波数グラニュラリティは、ここで例示したものとは異なる周波数割り当ての単位又は周波数領域の単位として解釈されてもよい。
【００９６】
特に、複数の互いに異なる周波数設定を有するリソースが設定されてもよい。例えば、広帯域ＺＰ−ＣＳＩ−ＲＳリソースと部分帯域ＺＰ−ＣＳＩ−ＲＳリソースが設定されてもよい。
【００９７】
別の周波数グラニュラリティに関する設定が与えられない場合、基地局及び端末は、指定されたＺＰ−ＣＳＩ−ＲＳ  ＲＥパターンに含まれた周波数グラニュラリティに従い、ＺＰ−ＣＳＩ−ＲＳ  ＲＥパターンに周波数グラニュラリティが含まれていない場合、当該端末はスケジューリングされた全ての帯域に対してレートマッチングされると仮定して、データ送受信を行うことができる。
【００９８】
−  各リンクには時間設定（即ち、非周期的／半持続的／周期的）が含まれてもよい。
【００９９】
より具体的に、非周期的／半持続的／周期的ＺＰ  ＣＳＩ−ＲＳは、以下のように理解されることができる。
【０１００】
−  非周期的ＺＰ  ＣＳＩ−ＲＳ：ＤＣＩのようなＬ１シグナリングを介して端末に指示され、Ｌ１シグナリングが送信されたスロット、又はＬ１シグナリングで指定された特定のスロットでのみ当該リソースパターンに対してレートマッチングが行われてもよい。
【０１０１】
特に、この場合、ＤＣＩを介した非周期的ＺＰ  ＣＳＩ−ＲＳシグナリングにおいて、半持続的又は周期的ＺＰ  ＣＳＩ−ＲＳリソース（即ち、周期／オフセットが設定されている設定又はセッティング）を指定することができ、この場合、設定された周期／オフセットを無視することができる。
【０１０２】
−  半持続的ＺＰ  ＣＳＩ−ＲＳ：Ｌ２又は／及びＬ３シグナリングを介して設定されたＺＰ  ＣＳＩ−ＲＳリソースのうち、Ｌ１又は／及びＬ２シグナリングを介して指定されたリソースに対するレートマッチング動作をイネーブル／ディセーブルする方式で行う。このとき、イネーブルされた間には、指定された周期／オフセットを有して当該リソースに対してレートマッチングが行われ得る。
【０１０３】
−  周期的ＺＰ  ＣＳＩ−ＲＳ：上述した半持続的ＺＰ  ＣＳＩ−ＲＳと類似するものの、別のイネーブル／ディセーブルシグナリングが存在せず、常にイネーブルされているように動作する。
【０１０４】
特に、複数の互いに異なる時間設定を有するリソースが設定されてもよい。例えば、非周期的ＺＰ−ＣＳＩ−ＲＳリソースと半持続的ＺＰ−ＣＳＩ−ＲＳリソースが設定されてもよい。
【０１０５】
２．レートマッチングセッティングが測定セッティングに含まれる場合
【０１０６】
ＣＳＩ取得又は／及びビーム管理フレームワークのための測定セッティングのフレームワーク下においてＺＰ−ＣＳＩ−ＲＳリンクが設定される。
【０１０７】
リソースセッティングは、全体のＣＳＩ−ＲＳ（ＮＺＰ及び／又はＺＰ  ＣＳＩ−ＲＳ）のためのＲＳ  ＲＥパターン候補の集合を意味する。リソースセッティングに他種のＲＳ（例えば、ＤＭＲＳ、ＳＲＳなど）パターンが含まれてもよい。ＺＰ-ＣＳＩ-ＲＳのためのリンクを設定するとき、ＣＳＩ取得又は／及びビーム管理フレームワークなどのために定義されたＮＺＰ-ＣＳＩ-ＲＳのためのＲＳ  ＲＥパターンを再使用することができ、この場合、ＮＺＰ-ＣＳＩ-ＲＳを使用しても、レートマッチングセッティングにおいてリンクしたとき、基地局と端末は自動的に当該リソースをＺＰ-ＣＳＩ-ＲＳと解釈することができる。図７は、測定セッティング内に含まれたレートマッチングのためのＺＰ-ＣＳＩ-ＲＳ設定を示す図である。
【０１０８】
図７のリンク４又は５と同様に、測定セッティング内で特定のリソースセッティングに報告セッティングがリンクされていないか、報告セッティングの代わりに別として設定された「レートマッチングセッティング」にリンクされる場合、当該リンクで指定したＣＳＩ-ＲＳリソース（又は、リソースグループ）は、レートマッチングのためのＺＰ-ＣＳＩ-ＲＳパターン専用として解釈される。この場合、レートマッチング用リンクは、測定セッティング内のその他のＣＳＩ測定／ビーム管理のためのリンクとそのインデックスを共有することができる。
【０１０９】
３．レートマッチングセッティングが個別的なリソースセッティングを有する測定セッティングに含まれる場合
【０１１０】
上述した「レートマッチングセッティングが測定セッティングに含まれる場合」と類似するが、レートマッチングのためのＺＰ  ＣＳＩ-ＲＳ用の別のリソースセッティングを設定することができる。
【０１１１】
特に、この場合、ＲＳの集合の他にＰＤＳＣＨ領域全体を対象とすることができる。
【０１１２】
４．レートマッチングセッティングがリソースセッティングに含まれる場合
【０１１３】
−  リソースセッティング内の各リソース（集合）別に１ビット指示子を割り当てて、当該リソースセッティングをレートマッチングに使用するか否かを設定することができる。図８は、リソースセッティングにレートマッチングセッティング（即ち、レートマッチングに使用するか否かを指示する指示子）が割り当てられた例を示す。
【０１１４】
−  端末はリソースセッティングに対して設定された１ビット指示子が「ＲＭ  ｏｎ」に設定された全てのリソース（又は、リソース集合）に対してレートマッチングを仮定する。
【０１１５】
−  この指示子は、ＺＰ−ＣＳＩ−ＲＳとＮＺＰ  ＣＳＩ−ＲＳに共通して設定することができる。両方とも同様にレートマッチングパターンとして使用することができる。
【０１１６】
−  ＮＺＰ−ＣＳＩ−ＲＳが送信されるＲＥにデータが送信されることを防止するために、この指示子はＺＰ−ＣＳＩ−ＲＳ用に限定して、端末又は基地局はＮＺＰ−ＣＳＩ−ＲＳに対してはデフォルト（ｄｅｆａｕｌｔ）でレートマッチングを行うことと定義することができる。特に、デフォルトでレートマッチングを行うように定義されるＮＺＰ−ＣＳＩ−ＲＳは、ＮＺＰ−ＣＳＩ−ＲＳのうちビーム管理／ＣＳＩ取得などのために設定されたリンクに含まれたＮＺＰ−ＣＳＩ−ＲＳリソースに限定することができる。
【０１１７】
より具体的に、端末又は基地局は、チャネル測定用として設定されたＮＺＰ  ＣＳＩ−ＲＳと干渉測定用として設定されたＮＺＰ  ＣＳＩ−ＲＳをいずれもデフォルトでレートマッチングを行うことができる。
【０１１８】
干渉測定の柔軟性のために、ＮＺＰ  ＣＳＩ−ＲＳであっても干渉測定用として設定された場合には、別のシグナリング／設定のない場合、端末又は基地局はレートマッチングを行わなくてもよい。
【０１１９】
このとき、時間／周波数に関する設定は、当該ＮＺＰ−ＣＳＩ−ＲＳ設定に従ってもよい。
【０１２０】
−  ＮＺＰ−ＣＳＩ−ＲＳをレートマッチング用として使用するために、別の時間／周波数設定を用いることができる。特に、この場合、より高い単位（例えば、非周期的−＞半持続的−＞周期的、部分帯域−＞広帯域）に拡張して用いることができ、そのために、別の指示子を用いてもよい。例えば、１ビット指示子がＮＺＰ−ＣＳＩ−ＲＳに含まれる場合、当該指示子は、一種の「セル固有ＣＳＩ−ＲＳリソース」として理解され、これはセル内の全ての端末がチャネル測定などの用途として共有して使用可能であるため、端末は当該リソースに常にＮＺＰ−ＣＳＩ−ＲＳが送信されると仮定して動作することができる。即ち、指示子が「ｏｎ」を指示する場合、当該リソースはＮＺＰ−ＣＳＩ−ＲＳのための時間設定に関係なく、半持続的／周期的ＺＰ−ＣＳＩ−ＲＳと解釈できる。端末又は基地局は前記ＮＺＰ−ＣＳＩ−ＲＳに対してレートマッチングを行うことができる。
【０１２１】
レートマッチングシグナリング方法
【０１２２】
ＺＰ-ＣＳＩ-ＲＳのためのＬ１／Ｌ２指示
【０１２３】
１．「レートマッチングセッティング」ケース（図５に関連）
【０１２４】
−  複数の「リンク」を含むレートマッチングセッティングを端末にＲＲＣのような上位層シグナリングで設定することができる。各リンクには使用するＺＰ−ＣＳＩ−ＲＳパターンの集合が含まれる。別途のリソースセッティングをおく場合、これはＲＲＣのような上位層シグナリングで設定する。
【０１２５】
−  数十ｍｓ程度の柔軟性のために、ＭＡＣシグナリングで実際に使用するＺＰ−ＣＳＩ−ＲＳリンク（グループ）が定義される。この方式は、半持続的ＺＰ−ＣＳＩ−ＲＳ設定のような方式として解釈される。半持続的ＺＰ−ＣＳＩ−ＲＳは、実際に使用するＺＰ−ＣＳＩ−ＲＳリンク（グループ）を含むイネーブルシグナリングを受信したサブフレームからディセーブルシグナリングを受信したサブフレーム（又は、その前のサブフレーム）まで指示されたリンクに該当するＺＰ−ＣＳＩ−ＲＳ  ＲＥパターンに対してレートマッチングを行うことを意味する。
【０１２６】
−  サブフレーム（又は、スロット）単位の柔軟性のために、ＤＣＩのようなＬ１シグナリングを介して動的シグナリングとして用いるＺＰ−ＣＳＩ−ＲＳリンク（グループ）を端末に設定することができる。これは、定義されたレートマッチングセッティング内のリンク集合（又は、ＭＡＣシグナリングを介して絞られたリンクグループ）のうち、実際に使用するリンクを指定する方式によって行われる。
【０１２７】
非周期的ＺＰ−ＣＳＩ−ＲＳである場合、ＤＣＩが送信された該当サブフレームにおいて、指示されたリンクに該当するＺＰ−ＣＳＩ−ＲＳ  ＲＥパターンに対してレートマッチングを行うことを意味する。
【０１２８】
半持続的ＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで指示されたリンクに該当するＺＰ−ＣＳＩ−ＲＳ  ＲＥパターンに対してレートマッチングを行うことを意味する。
【０１２９】
２．「測定セッティング」ケース（図７に関連）
【０１３０】
−  ＺＰ−ＣＳＩ−ＲＳリンクを含む「測定セッティング」がＲＲＣのような上位層シグナリングによって端末に設定されることができる。
【０１３１】
−  数十ｍｓ程度の柔軟性のために、ＭＡＣシグナリングで実際に使用するＺＰ−ＣＳＩ−ＲＳリンク（グループ）を定義することができる。これは、測定セッティングのうち、実際にＣＳＩ測定／ビーム管理に使用するリンクを選択することと同様な方式によって設定されることができる。
【０１３２】
このとき、ＺＰ−ＣＳＩ−ＲＳリンク（グループ）は、ＣＳＩ測定のための（例えば、リソースセッティング及び報告セッティングが含まれた）リンクを含むことができる。この場合、該当リンクは、報告セッティングには関係なく指定されたリソースセッティングによるＺＰ−ＣＳＩ−ＲＳリンクとして解釈される。また、この方式は、半持続的ＺＰ−ＣＳＩ−ＲＳ設定のような方式として解釈される。半持続的ＺＰ−ＣＳＩ−ＲＳは、イネーブルシグナリングを受信したサブフレームからディセーブルシグナリングを受信したサブフレームの前のサブフレームまで指示されたリンクに該当するＺＰ−ＣＳＩ−ＲＳ  ＲＥパターンに対してレートマッチングを行うことを意味する。
【０１３３】
−  サブフレーム（又は、スロット）単位の柔軟性のために、ＤＣＩのようなＬ１シグナリングを介して動的シグナリングで端末に設定することができる。これは、定義されたレートマッチングセッティング内のリンク集合（又は、ＭＡＣシグナリングによって絞られたリンクグループ）のうち、実際に使用するリンクを指定する方式によって行われる。
【０１３４】
非周期的ＺＰ−ＣＳＩ−ＲＳである場合、ＤＣＩが送信された該当サブフレームにおいて、指示されたリンクに該当するＺＰ−ＣＳＩ−ＲＳ  ＲＥパターンに対してレートマッチングを行うことを意味する。
【０１３５】
半持続的ＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで指示されたリンクに該当するＺＰ−ＣＳＩ−ＲＳ  ＲＥパターンに対してレートマッチングを行うことを意味する。
【０１３６】
３．「リソースセッティング」ケース（図８に関連）
【０１３７】
−  リソースセッティングに含まれた各リソース設定に、上述した１ビット指示子を含むことができる。
【０１３８】
−  数十ｍｓ程度の柔軟性のために、ＭＡＣシグナリングとしてＬ’ビットＺＰ−ＣＳＩ−ＲＳ指示子を含むことができる。Ｌ’ビットＺＰ−ＣＳＩ−ＲＳ指示子の各ビットは、上述したリソースセッティング内のリソース設定（又は、リソース設定のうち、１ビット指示子が「レートマッチングｏｎ」状態であるリソース）と１対１マッチングされ、該当ビットをｏｎ／ｏｆｆすることで、該当リソースに該当するＲＥパターンをレートマッチングするか否かを端末にシグナリングすることができる。
【０１３９】
この方式は、半持続的ＺＰ−ＣＳＩ−ＲＳ設定のような方式として解釈されてもよい。半持続的ＺＰ−ＣＳＩ−ＲＳは、イネーブルシグナリングを受信したサブフレームからディセーブルシグナリングを受信したサブフレームの前のサブフレームまで指示されたリンクに該当するＺＰ−ＣＳＩ−ＲＳ  ＲＥパターンに対してレートマッチングを行うことを意味する。
【０１４０】
−  サブフレーム（又は、スロット）単位の柔軟性のために、ＤＣＩのようなＬ１シグナリングによって「ＺＰ−ＣＳＩ−ＲＳ指示子」を端末に送信することができる。これは、上位層シグナリングを介して設定されたＺＰ−ＣＳＩ−ＲＳリソース（グループ）に該当するＲＥパターンを用いてレートマッチングを行うか否かを端末に知らせることを意味する。
【０１４１】
非周期的ＺＰ−ＣＳＩ−ＲＳである場合、ＤＣＩが送信された該当サブフレームにおいて、指示されたリソース（又は、リソースグループ）に該当するＺＰ−ＣＳＩ−ＲＳ  ＲＥパターンに対してレートマッチングを行うことを意味する。
【０１４２】
半持続的ＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで指示されたリソース（又は、リソースグループ）に該当するＺＰ−ＣＳＩ−ＲＳ  ＲＥパターンに対してレートマッチングを行うことを意味する。
【０１４３】
４．その他の設定
【０１４４】
−  周波数に関連する設定
【０１４５】
設定の柔軟性のために、周波数グラニュラリティ（ｆｒｅｑｕｅｎｃｙ  ｇｒａｎｕｌａｒｉｔｙ）を上位層シグナリングで設定する代わりに、ＭＡＣのようなＬ２シグナリングやＤＣＩのようなＬ１シグナリングを介して端末に設定することができる。
【０１４６】
この場合、設定された周波数グラニュラリティは、該当ＺＰ−ＣＳＩ−ＲＳパターンの全体に対して同様に適用される。特に、１ビット指示子として部分帯域／広帯域のうち１つに設定することができる。
【０１４７】
このとき、部分帯域は、ｅＭＢＢ（ｅｎｈａｎｃｅｄ  Ｍｏｂｉｌｅ  Ｂｒｏａｄｂａｎｄ）帯域のように、互いに異なるニューマロロジー（ｎｕｍｅｒｏｌｏｇｙ）又は／及び異なる動作方式（例えば、ｅＭＢＢ、ｅＭＴＣ）を有する帯域（又は、帯域集合）である。
【０１４８】
或いは、部分帯域は、設定された帯域グループであってもよく、これは上位層シグナリングを介した別途のシグナリングで設定されてもよい。
【０１４９】
別途の周波数グラニュラリティに関する設定が与えられない場合、基地局及び端末は、上位層シグナリングに含まれた周波数グラニュラリティに従ってもよく、又はシグナリングオーバーヘッドを減らすために、該当端末がスケジューリングされた全ての帯域に対してレートマッチングされると仮定して、データを送受信することができる。
【０１５０】
−  時間に関連する設定
【０１５１】
設定の柔軟性のために、タイミング特性（例えば、非周期的／半持続的／周期的）又は／及び、半持続的又は周期的である場合、周期及びオフセットを上位層シグナリングで設定する代わりに、ＭＡＣのようなＬ２シグナリングやＤＣＩのようなＬ１シグナリングを介して端末に設定することができる。
【０１５２】
Ｌ１シグナリングは、ＰＤＳＣＨの割り当て／復調に関するシグナリングであるため、ＤＬ承認（ＤＬスケジューリング）と共にＤＬに関するＵＥ固有ＤＣＩで送信されることが好ましい。
【０１５３】
セル全体又は特定ＵＥグループのためのレートマッチングシグナリングを送信するために、一種のセル固有及び／又はＵＥグループ固有ＤＣＩを用いることができる。即ち、ＤＣＩにレートマッチングシグナリングを含ませて送信することができる。図９は、セル固有及び／又はＵＥグループ固有ＤＣＩのペイロードを例示する。
【０１５４】
即ち、特定の長さを有するペイロードが所定数だけ連接する構造となり得る。各ペイロードの位置（又は、ペイロードインデックス）は、以下のような意味を有することができる。
【０１５５】
１．ＵＥ
【０１５６】
各ペイロードの位置（又は、ペイロードインデックス）は、特定ＵＥのための情報であってもよい。
【０１５７】
−  この場合、各ペイロードに送信されるコンテンツ（ｃｏｎｔｅｎｔ）は、該当ペイロードに予め定義された、又はＲＲＣ／ＭＡＣシグナリングを介して設定された端末に対する動作に関するシグナリングを意味する。図１０は、各端末（ＵＥ）のためのペイロードが設定されたＤＣＩを例示する。例えば、ペイロード１がＵＥ１に連結（ｔｉｅ）されているとき、ペイロード１の位置に送信されるシグナリングは、ＵＥ１で行う動作（例えば、チャネル測定、干渉測定など）又は／及び該当動作を行う対象リソースがシグナリングされることができる。特に、シグナリングされる情報に「ｎｏ  ＲＳ」を指示するコンテンツを含ませて、該当端末が使用するリソースを指定せず、同時に他の端末がレートマッチングするリソースもないことをセル／ＵＥグループに知らせることができる。該当シグナリングは、セル固有又はＵＥグループ固有であってもよい。
【０１５８】
特に、ＵＥの指示は、ＤＭＲＳポート及び／又はシーケンススクランブリングパラメータ（例えば、仮想セルＩＤなど特定パラメータＩＤ及び／又はｎＳＣＩＤなどシーケンスシード（ｓｅｅｄ）ＩＤなど）の指示に切り替えられることができる。例えば、ＤＭＲＳポートで指示する場合、ペイロード１で指示する動作は、現在ＤＭＲＳポート７を用いる端末に対する動作であることを知らせることができる。このために、ＤＭＲＳポートが割り当てられなかった、換言すれば、スケジューリングされなかった端末のためのペイロードを別途として指定することができる。
【０１５９】
特に、各ＤＭＲＳポート及び／又はシーケンススクランブリングパラメータが用いられる頻度を考慮して、複数のＤＭＲＳポート及び／又はシーケンススクランブリングパラメータが１つのペイロードを使用することができる。この場合、該当ペイロードの状態は、該当ポート（及び／又はシーケンススクランブリングパラメータ）グループ内のポート（及び／又はシーケンススクランブリングパラメータ）（インデックス）及び動作が結合されて暗号化（ｊｏｉｎｔｌｙ  ｅｎｃｏｄｅ）されることができる。
【０１６０】
−  又は、各ペイロードは、リソースと該当端末が行う動作を指示することができる。図１１は、ペイロードがリソース及びリソースにおける端末の動作を指示する例を示す。例えば、Ｎビットペイロードのうち（Ｎ−１）ビットでリソースを端末に指示して、残りの１ビットで前記指示されたリソースで行う動作（例えば、チャネル測定、干渉測定など）を指示することができる。この場合、該当ペイロードに設定された端末は、指定されたリソースで指定された動作を行い、残りの端末は「ｎｏ  ＲＳ」として指定されない全てのリソースに対してレートマッチングを行うことができる。
【０１６１】
−  又は、各ペイロードでリソースを指定することができる。図１２は、一端末のためのペイロードにおいてリソースを指示する例を示す。各端末は「ｎｏ  ＲＳ」として指定されない全てのリソース（即ち、全体ペイロードで指定されたリソース和集合）に対してレートマッチングを行い、特に自身に該当するペイロードに送信されたシグナリングとして指定された動作を該当リソースに対して行う。該当シグナリングに対する動作は、予め上位層シグナリングで設定されることができる。
【０１６２】
２．リソース
【０１６３】
この場合、各位置は、予め定義された、又はＲＲＣ／ＭＡＣシグナリングを介して設定された時間−周波数（コード分割多重化された）リソースの位置を示す。図１３は、各リソースのためのペイロードが含まれたＤＣＩの例を示す。この場合、各ペイロードに送信されるシグナリングは、各リソースに対する端末の動作又は／及び該当動作を行う端末を意味する。例えば、ペイロード１がＣＳＩ−ＲＳリソース１に連結（ｔｉｅ）されている場合、ペイロード１の位置に送信されるシグナリングは、設定されたリソース１で行う動作（例えば、チャネル測定、干渉測定など）に対するシグナリングとなり得る。該当シグナリングは、セル固有又はＵＥグループ固有であってもよい。
【０１６４】
又は、各ペイロードは、該当ペイロードに連結されたリソースに対する動作及び該当動作を行う端末を指示することができる。図１４は、端末指示及び指示された端末のための動作を含む一リソースのためのペイロードを例示する。例えば、各ペイロードは２ビットからなり、２ビットの各状態は「ｎｏ  ｍｅａｓｕｒｅｍｅｎｔ」、「ｃｈａｎｎｅｌ  ｍｅａｓｕｒｅｍｅｎｔ  ｆｏｒ  ＵＥ  １」、「ｃｈａｎｎｅｌ  ｍｅａｓｕｒｅｍｅｎｔ  ｆｏｒ  ＵＥ  ２」、「ｉｎｔｅｒｆｅｒｅｎｃｅ  ｍｅａｓｕｒｅｍｅｎｔ  ｆｏｒ  ＵＥ  １」などである。この場合、各端末に各状態の端末及び動作に対する上位層設定が与えられる。この場合、各端末は「ｎｏ  ｍｅａｓｕｒｅｍｅｎｔ」ではない状態を指示する全てのリソースに対してレートマッチングを行うことができる。
【０１６５】
また、シグナリングされる状態中に「レートマッチングｏｎｌｙ」を追加して、該当ＤＣＩを受信する端末の別途の動作なく、該当リソースでレートマッチングのみを行うことができる。
【０１６６】
ＵＥシグナリングは、ＤＭＲＳポートシグナリング及び／又はシーケンススクランブリングパラメータ（例えば、仮想セルＩＤなど特定パラメータＩＤ及び／又はｎＳＣＩＤなどシーケンスシードＩＤなど）に取り替えられることができる。例えば、ＤＭＲＳポートで指示する場合、ＵＥインデックスの代わりに「ＤＭＲＳポート７」を指示して、該当ペイロードが指示する動作は、現在「ＤＭＲＳポート７」を用いる端末に対する動作であることを知らせることができる。この場合、スケジューリングされない端末のために、ペイロードが指示する状態に「ｎｏｎ−ｓｃｈｅｄｕｌｅｄ  ＵＥ」を示す状態を含み、現在ＤＭＲＳポートを受けていない端末に対する動作をシグナリングすることができる。
【０１６７】
３．動作
【０１６８】
又は、各ペイロードは、端末が行う動作のみを指示することができる。図１５は、一リソースのためのペイロードであって、端末が行う動作を指示するＤＣＩを例示する。例えば、各ペイロードは２ビットからなり、各状態は「ｎｏ  ｍｅａｓｕｒｅｍｅｎｔ」、「ｃｈａｎｎｅｌ  ｍｅａｓｕｒｅｍｅｎｔ」、「ｉｎｔｅｒｆｅｒｅｎｃｅ  ｍｅａｓｕｒｅｍｅｎｔ」、「ｃｈａｎｎｅｌ  ａｎｄ  ｉｎｔｅｒｆｅｒｅｎｃｅ  ｍｅａｓｕｒｅｍｅｎｔ」などである。また、ペイロード１が非周期的ＣＳＩ−ＲＳリソース１に連結されるように設定されていて、ＵＥ１及び２が非周期的ＣＳＩ−ＲＳリソース１をチャネル測定のために設定された場合、ペイロード１で「ｃｈａｎｎｅｌ  ｍｅａｓｕｒｅｍｅｎｔ」がシグナリングされた場合、ＵＥ１と２が同時にＣＳＩ−ＲＳリソース１に対してチャネル測定動作を行う。この場合、各端末は、動作とリソースを連結する上位層設定が与えられる。
【０１６９】
また、シグナリングされる状態中に「レートマッチングｏｎｌｙ」を追加して、該当ＤＣＩを受信する端末は、別途動作なく、該当リソースに対してレートマッチングのみを行うことができる。
【０１７０】
特に、各ペイロードは、ＲＳの送信／非送信のみを端末に知らせることができる。換言すれば、各ペイロードは、端末に予め設定されたリソース及び該当リソースにおける動作をトリガすることができる。例えば、ペイロード１が非周期的ＣＳＩ−ＲＳリソース１に連結されるように設定されていて、ＵＥ１は、非周期的ＣＳＩ−ＲＳリソース１に対してチャネル測定を、ＵＥ２は、非周期的ＣＳＩ−ＲＳリソース１に対して干渉測定を行うように設定されている場合、ペイロード１に「測定」を意味するシグナリングが送信される場合、ＵＥ１は、そのリソースでチャネル測定を行い、ＵＥ２は、そのリソースで干渉測定を行う。この場合、リソースと該当リソースにおける動作間の連結は、上位層シグナリングを介して端末に知らせることができる。図１６は、このようなペイロードを例示する。
【０１７１】
４．何の意味のない場合（Ｎｏ  ｍｅａｎｉｎｇ）
【０１７２】
この場合は、各ペイロードの位置（又は、インデックス）は意味を持たない。各ペイロードにリソース指示／対象ＵＥ／動作の３つの内容を含むことができる。図１７は、これを例示する。端末は、全体リソースに対するレートマッチングを行う一方、自身を指定するペイロードが存在する場合、指示されるリソースで指示する動作を行う。この場合、端末のＤＣＩブラインド復号（ｂｌｉｎｄ  ｄｅｃｏｄｉｎｇ）試み回数を減らすために、ペイロードの数は、予め定められるか、ＲＲＣ／ＭＡＣシグナリングのような上位層シグナリングで端末に指定されることができる。
【０１７３】
この場合、前記リソース指示が「ｎｏ  ＲＳ」を指示する場合、該当ペイロードのＵＥ指示及びＵＥのための動作は端末が読み込まないことがある。この場合、上述のような方式によって、ＲＳ設定を除いたリソース／ＵＥ／動作を設定して、又は／及びシグナリングすることができる。このとき、端末は別途設定されたＲＳに基づいて、前記設定されたリソース／動作に従って動作することができる。
【０１７４】
上述したＲＭ動作は、非周期的ＲＭと半持続的ＲＭ（イネーブル／ディセーブル）を意味してもよい。より具体的に、「半持続的ＲＭ」の場合、上述のような特定ＤＣＩが受信される場合、上述した方法のうち少なくとも１つを適用して、ＲＭ動作を該当時点及びその後（また別のディセーブル又は更新するＤＣＩが受信されるまで）持続的に予め設定された周期による各機会（ｉｎｓｔａｎｃｅ）に対していずれも該当ＲＭ動作を適用する。端末には、該当ＤＣＩの復号に用いるＲＮＴＩ（例えば、ＳＩ−ＲＮＴＩ又は別のＵＥグループ−ＲＮＴＩ）が予め与えられ、端末は該当ＲＮＴＩを用いてセル固有ＤＣＩ／ＵＥグループ固有ＤＣＩに対するブラインド復号を試みることができる。又は、半持続的ＲＭをＭＡＣシグナリングで設定して、上述したＲＭ動作は、非周期的ＲＭのみに限定してもよい。
【０１７５】
端末の動作に関するシグナリングは、別のＵＥ固有ＤＣＩに含まれてもよい。換言すれば、このように、ＲＭシグナリングがセル固有ＤＣＩ／ＵＥグループ固有ＤＣＩを介して送信又は受信される場合、別のＵＥ固有ＤＣＩに１ビットシグナリングを介して、上述したセル固有ＤＣＩ／ＵＥグループ固有ＤＣＩを介して指定されたリソースを非周期的ＮＺＰ  ＣＳＩ−ＲＳリソースとして認識して測定又は非測定の動作を指示することができる。さらに、１ビットシグナリングは、非周期的ＮＺＰ  ＣＳＩ−ＲＳ指示と結合暗号化（ｊｏｉｎｔｌｙ  ｅｎｃｏｄｉｎｇ）又は統合されることができる。同様に、非周期的ＲＭシグナリングフィールドを１ビットに限定してＲＭ動作を指定することができ、セル固有ＤＣＩ／ＵＥグループ固有ＤＣＩで指定されたリソースをＲＭするように設定されてもよい。即ち、このような動作は、ＲＭ対象リソースを指示するシグナリングと実際にＲＭ可否を指示するシグナリングをそれぞれセル固有ＤＣＩ／ＵＥグループ固有ＤＣＩ及びＵＥ固有ＤＣＩに分離するという意味を有する。仮に、セル固有ＤＣＩ／ＵＥグループ固有ＤＣＩで指定されたＲＭ対象リソースが無いか、受信されなかった場合、端末は、他の報告、例えば周期的／半持続的報告のために指定されたリソースに対して非周期的報告を行うことができる。
【０１７６】
１つのＤＣＩでマルチショット（ｍｕｌｔｉ−ｓｌｏｔ）に対してスケジューリングを行う場合、ＤＣＩで指定されたＲＭは、ＤＣＩでスケジューリングされたスロットに対して指定された方式で同様に行われることができる。この場合、別途のシグナリングオーバーヘッドを必要とすることなく、複数のスロットに対してＲＭを指示することができる。一方、この場合は、多過ぎるリソースに対してＲＭを行う可能性があるため、これを避けるために、別途のシグナリングで実際にＲＭを行うスロットタイミングを指定することができる。これは、ＤＣＩシグナリング時点に基づくスロットオフセットをＤＣＩで指定することができる。仮に、単一ＤＣＩでスケジューリングされるスロットグループ内において複数の時点にＲＭを指定しようとする場合、基地局が、予めＲＲＣ／ＭＡＣのように、上位層シグナリングで指定されたＲＭスロットパターンをＤＣＩで指定することができる。ＲＭスロットパターンは、単一ＤＣＩでスケジューリングされるスロットグループ内においてＲＭを行うスロットの集合であって、完全な柔軟性（ｆｕｌｌ  ｆｌｅｘｉｂｉｌｉｔｙ）のために、ビットマップで指定するか、又は周期及び／又はオフセットで指定されることができる。ＲＭスロットの指示は、シグナリングオーバーヘッドを減らすために、上述したＲＭシグナリングと結合してシグナリングされることができる。
【０１７７】
ＤＭＲＳの場合、追加ＤＭＲＳパターンに、ＲＭのためのＺＰ  ＣＳＩ−ＲＳを適用することが考えられる。全体の端末が共有するＤＭＲＳパターンとは別として、端末の環境（例えば、端末の速度などによるドップラ拡散（Ｄｏｐｐｌｅｒ  ｓｐｒｅａｄ））によって、追加ＤＭＲＳを用いることができ、これは従来のＤＭＲＳに追加ＤＭＲＳを送信する形態として用いられる。このようなＤＭＲＳパターンに対するＲＭは、干渉測定のために用いられてもよく、また互いに異なる追加ＤＭＲＳパターンを用いる端末同士（例えば、追加ＤＭＲＳを用いる端末と、追加ＤＭＲＳを用いない端末）が多重ユーザ（ｍｕｌｔｉ−ｕｓｅｒ）スケジューリングされる場合にも、ＤＭＲＳ検出への干渉を除去するために用いることができる。この場合、シグナリングオーバーヘッド減少のために、ＲＭのためのＺＰ  ＣＳＩ−ＲＳをＤＭＲＳに対して用いる場合は、その対象を追加ＤＭＲＳに限定してもよい。
【０１７８】
ＦＤＲ（ｆｕｌｌ  ｄｕｐｌｅｘ  ｒａｄｉｏ）のようなケースにおいて、互いに異なる端末がそれぞれＤＬ受信／ＵＬ送信を互いに同一のスロットで行うことができる。このような状況において、ＵＬ送信を行う端末が送信するＳＲＳを保護するために、ＳＲＳ位置をＲＭすることができる。このＳＲＳの場合、チャネル測定性能のために、一部帯域に電力を集中して送信することができ、このようなＳＲＳ送信方式によって全帯域（又は、設定された帯域）のチャネル測定を行うためにＳＲＳホッピングが考慮されてもよい。このようなＳＲＳホッピングを考慮して、ＲＭしようとするＳＲＳのホッピングパターン又はそれを決定するパラメータをさらに設定してもよい。
【０１７９】
ＲＲＣ／ＭＡＣシグナリングでイネーブル／ディセーブルされる（ＮＺＰ）ＣＳＩ−ＲＳに対して、特定時点に該当ＣＳＩ−ＲＳの送信／測定をオフするために、ＣＳＩ−ＲＳミューティング（ｍｕｔｉｎｇ）シグナリングを送信することができる。これは、ＰＤＳＣＨのＲＭと同様に、端末がＮＺＰ  ＣＳＩ−ＲＳをシグナリングされたリソース（時間／周波数）に対して測定しないことであって、上述したＭＡＣ／ＲＲＣ設定を通じた周期的／半持続的ＮＺＰ  ＣＳＩ−ＲＳ及び／又はＩＭＲ（ｉｎｔｅｒｆｅｒｅｎｃｅ  ｍｅａｓｕｒｅｍｅｎｔ  ｒｅｓｏｕｒｃｅ）にＤＣＩを通じた更なる柔軟性を与えることが目的である。このような方法は、特に互いに重なって設定されたＮＺＰ  ＣＳＩ−ＲＳリソースを複数の端末が共有して、これは同時に各端末がＣＳＩ−ＲＳリソースにおいて自身のチャネルを測定した後、該当チャネルを取り除き、残りを干渉として用いるための、即ち、チャネル測定のためのリソースとＩＭＲとが重なって設定された状況下で、基地局が各ＣＳＩ−ＲＳ／ＩＭＲ送信時点に互いに異なる干渉の仮定（ｉｎｔｅｒｆｅｒｅｎｃｅ  ｈｙｐｏｔｈｅｓｉｓ）を端末に送信するために用いることができる。
【０１８０】
このために、重なるＮＺＰ  ＣＳＩ−ＲＳリソース位置に該当するＲＭシグナリングを与えることができる。この場合、従来には、ＮＺＰ  ＣＳＩ−ＲＳリソースにおいてＰＤＳＣＨシンボルを送信しないことを意味するが、ＲＭシグナリングが重なるＮＺＰ  ＣＳＩ−ＲＳリソースの一部を指示又は設定する場合、ＮＺＰ  ＣＳＩ−ＲＳリソースを端末が測定しないことを意味してもよい。このために、ＤＣＩにＮＺＰ  ＣＳＩ−ＲＳリソースのためのＲＭシグナリングのためのフィールドを生成することができる。
【０１８１】
或いは、シグナリングオーバーヘッドを減らすために、非周期的ＣＳＩ−ＲＳ指示の状態のうち１つとしてＺＰ  ＣＳＩ−ＲＳを設定することができる。特に、非周期的ＮＺＰ  ＣＳＩ−ＲＳと異なる時間／周波数リソースに設定された周期的／半持続的ＮＺＰ  ＣＳＩ−ＲＳと同一のリソースを有するＺＰ  ＣＳＩ−ＲＳ、又は、これと同様に、該当リソースを測定しないことを意味するリソース設定を非周期的ＣＳＩ−ＲＳ指示の状態のうち１つに設定することができる。よって、非周期的ＣＳＩ−ＲＳ指示状態を受信した端末は、周期的に測定及び報告していたＣＳＩに該当スロットで送信されるＣＭＲ（ｃｈａｎｎｅｌ  ｍｅａｓｕｒｅｍｅｎｔ  ｒｅｓｏｕｒｃｅ）／ＩＭＲを用いずに、さらにＣＳＩを報告しないか更新しないＣＳＩを報告することができる。
【０１８２】
或いは、非周期的ＣＳＩ−ＲＳ指示を受ける場合、該当スロットで送信される他のＣＭＲ／ＩＭＲ全体又は予め上位層で設定されたＣＭＲ／ＩＭＲに対して測定を行わないことと設定することができる。
【０１８３】
特に、ＮＺＰ  ＣＳＩ−ＲＳのうち一部のみをＲＭしてもよい。これは、干渉測定のみのためにはＮＺＰ  ＣＳＩ−ＲＳの送信が高い密度（ｈｉｇｈ−ｄｅｎｓｉｔｙ）である必要がなく、また該当衝突リソースでチャネル推定を行う端末のチャネル推定性能を向上させるためである。
【０１８４】
さらに、図５乃至図８に関する説明において、１つのリンクに１つの報告セッティングが連結されることと制限される場合、報告セッティングを指示する方式は、上述した「リンク」のシグナリング方式と同様であることは自明である。また、上述したＺＰ  ＣＳＩ−ＲＳは、ＲＭのためのリソースであって、上述のように、ＮＺＰ  ＣＳＩ−ＲＳやＺＰ  ＣＳＩ−ＲＳの他にＤＭＲＳのような他種のＲＳ（又は、ＲＳリソース）を含むことができる。よって、ＺＰ  ＣＳＩ−ＲＳの代わりに、他の名称（例えば、ＲＭリソース（ＲＭ  ｒｅｓｏｕｒｃｅ；ＲＭＲ））が考えられる。しかし、この場合にも、上記動作を同様に適用できることは自明である。
【０１８５】
ＤＣＩでＺＰ  ＣＳＩ−ＲＳをシグナリングする場合（特に、非周期的ＺＰ  ＣＳＩ−ＲＳの場合）、上述したＲＭ方式を用いると、ＤＣＩの受信に失敗したとき、該当サブフレーム全体を復号できなくなる。よって、端末と基地局は、該当情報がＲＭのためではなくデータのＲＥパンクチャリングパターンを知らせるものとして約束することができる。即ち、基地局がデータのＲＥをマッピングするとき、ＺＰ  ＣＳＩ−ＲＳ  ＲＥでもデータを送信すると仮定して、ＲＥマッピングを行った後、最終送信時点に該当ＲＥでマッピングされたデータを実際に送信しない。また、端末は、このような送信動作を仮定して、データに対する復号を行う。結果として、端末は、ミューティングＲＥではデータではなく雑音、ダミー値が含まれていると仮定して、結果として、ミューティングＲＥではチャネル復号時にＬＬＲ（ｌｏｇ−ｌｉｋｅｌｉｈｏｏｄ  ｒａｔｉｏ）計算を行わない。或いは、端末は、データビット０と１を同一確率と仮定して、ＬＬＲ計算を行うことができる。この場合、システム的には別のシグナリングが不要であり、端末はＤＣＩの受信が失敗した場合にも、チャネルコーディングのために、ある程度のデータの送信成功確率を持つことができる。
【０１８６】
特に、ＤＣＩ受信を伴わないデータ送受信（例えば、半持続的スケジューリング（Ｓｅｍｉ−Ｐｅｒｓｉｓｔｅｎｔ  Ｓｃｈｅｄｕｌｉｎｇ；ＳＰＳ））のような場合、ＺＰ  ＣＳＩ−ＲＳ（特に、非周期的ＺＰ  ＣＳＩ−ＲＳ）を用いたＲＭ動作のために、ＤＣＩを各サブフレームにおいてブラインド復号を試みることは、端末のバッテリー消費の側面から好ましくない。よって、少なくともＳＰＳを用いたデータ送受信において、ＺＰ  ＣＳＩ−ＲＳパターンのうちＤＣＩで与えられるＲＭシグナリングは、上述したＲＭパターンの代わりにパンクチャリングパターンとして基地局と端末が理解することができる。例えば、特定の端末に対するＳＰＳデータ送信のうち、基地局が非周期的ＣＳＩ−ＲＳなどによる非周期的ＺＰ  ＣＳＩ−ＲＳを用いてデータを送信しようとする場合、基地局はＳＰＳデータを受信する端末に対しては、当該ＺＰ  ＣＳＩ−ＲＳ  ＲＥパターンをＲＥミューティングパターンとして理解して、データを割り当てる。このとき、基地局は、別のＺＰ  ＣＳＩ−ＲＳ指示関連ＤＣＩを送信しない。このとき、ＲＲＣ又はＭＡＣシグナリングのような上位層シグナリングを介して設定されたＺＰ  ＣＳＩ−ＲＳは、従来のようにＲＭ動作を行うことができる。換言すれば、ＳＰＳデータを送信する基地局及び受信する端末は、ＳＰＳデータ送受信中に予め設定された周期的（及び／又は半持続的）ＺＰ  ＣＳＩ−ＲＳはＲＭするものの、基地局から非周期的ＺＰ  ＣＳＩ−ＲＳは指示されないと仮定した上で動作することができる。
【０１８７】
本明細書で説明するＲＭＲは、基地局の（アナログ及び／又はデジタル）送信ビームによって設定が異なってもよい。例えば、図１８のように、ＰＤＳＣＨ送信のためにビーム１を用いるＵＥ２のためのＲＭＲ設定が与えられるとき、ビーム３を用いて送信されるＮＺＰ  ＣＳＩ−ＲＳの保護のためのＲＭＲは、ビーム１では設定される必要があるものの、ビーム３の送信に影響を及ぼさないビーム２を用いるＵＥ１には設定される必要がない。仮に、ＵＥ２がＵＥ１の位置に移動して、ＰＤＳＣＨの送信にビーム１の代わりにビーム２を用いる場合、同一のＲＭＲがＵＥ２のＰＤＳＣＨ  ＲＭに用いられることは適切ではない。従来のＬＴＥのような環境では、送信（又は、受信）ビームの切り替えを半静的に行うことを仮定したため、ＲＲＣ設定として設定するＺＰ  ＣＳＩ−ＲＳで十分であったが、より動的なビーム変化を考慮しているＮｅｗ  ＲＡＴでは、従来の方式が不適である可能性がある。
【０１８８】
よって、端末には複数のＲＭＲが基地局の送信ビームに連携（ａｓｓｏｃｉａｔｅ）して設定され、基地局／端末は、ＰＤＳＣＨ送信にある特定の送信ビームが用いられる場合、当該ビームに連携されたＲＭＲに対してＲＭを行ってデータを送受信するように定義することができる。送信ビームとＲＭＲは、以下の方式によって連携されることができる。
【０１８９】
１．送信ビームインデックスに連携
【０１９０】
−  基地局／端末間に送信ビーム及びそれによる送信ビームインデックスが共通して定義／設定される場合、各ＲＭＲには送信ビームインデックスが設定され、特定のインデックスを有した送信ビームがＰＤＳＣＨ送信に用いられるとき、該当送信ビームインデックスに該当するＲＭＲを用いてＰＤＳＣＨ  ＲＭを行うことができる。逆に、各送信ビームインデックスによって互いに異なるＲＭＲが設定されてもよい。この場合、端末にＬ１／Ｌ２シグナリングを介して現在用いるビームインデックスを知らせてもよい。
【０１９１】
−  同様に、送信ビーム−受信ビーム対（ｐａｉｒ）リンクが定義される場合、送信ビームインデックスは、ビーム対リンクのインデックスに取り替えられることができる。
【０１９２】
２．ＣＲＩ（ＣＳＩ−ＲＳ  ｒｅｓｏｕｒｃｅ  ｉｎｄｉｃａｔｏｒ）に連携
【０１９３】
−  ＮＺＰ  ＣＳＩ−ＲＳに送信ビームがＱＣＬ（ｑｕａｓｉ−ｃｏ−ｌｏｃａｔｅｄ）のようなパラメータなどによって連携されている場合、「１．送信ビームインデックスに連携」ケースの送信ビームがＮＺＰ  ＣＳＩ−ＲＳに取り替えられることができる。即ち、「送信ビーム」の代わりにＮＺＰ  ＣＳＩ−ＲＳが各ＲＭＲと連携されるのである。ＮＺＰ  ＣＳＩ−ＲＳは、ビーム管理などで送信ビームを反映するＲＳであって、特に、これはビーム管理ステップにおいて報告されたＣＲＩに関連する方式によって用いられることができる。この方式は、明示的に送信ビームと連携することよりも、ＵＥ透過（ｔｒａｎｓｐａｒｅｎｔ）に動作することができる。
【０１９４】
−  ＱＣＬパラメータが用いられる場合、該当ＱＣＬパラメータは、空間（ｓｐａｔｉａｌ）ＱＣＬ部分、即ち、到着角度（ａｒｒｉｖａｌ  ａｎｇｌｅ）又は／及び角度拡散（ａｎｇｌｅ  ｓｐｒｅａｄ）に限定することができる。
【０１９５】
上述した方式はいずれも、各送信ビーム（又は、それに準するパラメータ）とＲＭＲが１対１マッピングされる必要はない。即ち、１つのＲＭＲが互いに異なる送信ビームに同時に連携され、１つの送信ビームが複数のＲＭＲに連携されることができる。また、送信ビームの代わりに、ＲＭＲのための送信ビームグループ（例えば、セル中心ビームグループ／セルエッジ（ｅｄｇｅ）ビームグループ）が定義され、ＲＭＲが該当ＲＭＲのための送信ビームグループに応じて設定されることができる。このような設定は、ＲＭＲのリソースセッティングに含まれ得る。及び／又は、別のＭＡＣ／ＤＣＩシグナリングを念頭に置く場合、ＲＭセッティング及び／又は測定セッティングにおいてビームインデックス又はそれに関連するパラメータに応じて、互いに異なるリンク、換言すれば、複数のＲＭＲグループが定義されてもよい。また、送信ビーム−ＲＭＲ連携は、ＲＲＣ／ＭＡＣシグナリングに含まれてもよい。
【０１９６】
一スロットにおいて複数の送信ビームがデータ送信に用いられる場合、端末は、該当スロットにおいて送信ビームが変わる単位（例えば、シンボル）として互いに異なるＲＭＲを適用することができる。換言すれば、スロット内の７個のシンボルごとにデータ送信に用いられる送信ビームが異なる場合、前半７個のシンボルと後半７個のシンボルとで用いられるＲＭＲパターンは互いに異なる。或いは、複雑度を減らすために、データ送信に用いられる複数の送信ビームに該当する全てのＲＭＲの和集合に該当するＲＭＲを該当スロットのＲＭＲとして用いることができる。
【０１９７】
このような方式は、別の動的シグナリングが用いられないため、ＤＣＩに比べて長いレイテンシ（ｌａｔｅｎｃｙ）が期待される周期的／半持続的ＲＭＲのような設定において特に有用である。非周期的／半持続的ＲＭＲでは、各シグナリングで指定可能なＲＭＲ候補が送信ビーム（又は、送信ビームグループ）によって定められる形式になり得る。この場合、ＲＭＲ候補のシグナリングに該当送信ビームに関する情報が含まれてもよい。仮に、ＲＭＲ候補が十分に少ない場合には、該当送信ビームに連携する方式を省略して、基地局では各時点においてそれに適するＲＭＲをＭＡＣ又は／及びＤＣＩシグナリングで選択／送信する動作に切り替えられることができる。
【０１９８】
図１９は本発明を行う送信装置１０及び受信装置２０の構成要素を示すブロック図である。送信装置１０及び受信装置２０は、情報及び／又はデータ、信号、メッセージなどを運ぶ無線信号を送信又は受信できる送信器／受信器１３，２３と、無線通信システムにおける通信と関連した各種情報を記憶するメモリ１２，２２、送信器／受信器１３，２３及びメモリ１２，２２などの構成要素と動作的に連結され、前記構成要素を制御して、該当の装置が前述の本発明の実施例のうち少なくとも一つを実行するようにメモリ１２，２２及び／又は送信器／受信器１３，２３を制御するように構成されたプロセッサ１１，２１とをそれぞれ備える。
【０１９９】
メモリ１２，２２は、プロセッサ１１，２１の処理及び制御のためのプログラムを格納することができ、入力／出力される情報を臨時記憶することができる。メモリ１２，２２がバッファーとして活用されてもよい。プロセッサ１１，２１は、通常、送信装置又は受信装置における各種モジュールの動作全般を制御する。特に、プロセッサ１１，２１は、本発明を実行するための各種制御機能を果たすことができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶことができる。プロセッサ１１，２１は、ハードウェア（ｈａｒｄｗａｒｅ）、ファームウェア（ｆｉｒｍｗａｒｅ）、ソフトウェア、又はそれらの結合によって具現化することができる。ハードウェアを用いて本発明を具現化する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１１，２１に備えることができる。一方、ファームウェアやソフトウェアを用いて本発明を具現化する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１１，２１内に設けられたりメモリ１２，２２に格納されてプロセッサ１１，２１によって駆動されるようにすることができる。
【０２００】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信器／受信器１３に送信する。例えば、プロセッサ１１は、送信しようとするデータ列を逆多重化、チャネル符号化、スクランブリング及び変調などをしてＫ個のレイヤに変換する。符号化されたデータ列はコードワードとも呼ばれ、ＭＡＣ層が提供するデータブロックであるトランスポートブロックと等価である。一トランスポートブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために  送信器／受信器１３はオシレータ（ｏｓｃｉｌｌａｔｏｒ）を含むことができる。送信器／受信器１３はＮｔ個（Ｎｔは１以上の正の整数）の送信アンテナを含むことができる。
【０２０１】
受信装置２０の信号処理過程は、送信装置１０の信号処理過程の逆となる。プロセッサ２１の制御下に、受信装置２０の送信器／受信器２３は送信装置１０から送信された無線信号を受信する。送信器／受信器２３は、Ｎｒ個の受信アンテナを含むことができ、送信器／受信器２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送信器／受信器２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２０２】
送信器／受信器１３，２３は一つ以上のアンテナを具備する。アンテナは、プロセッサ１１，２１の制御下に、本発明の一実施例によって、送信器／受信器１３，２３で処理された信号を外部に送信したり、外部から無線信号を受信して送信器／受信器１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。即ち、アンテナは、該アンテナ上のシンボルを伝達するチャネルが同一アンテナ上の他のシンボルが伝達される上記チャネルから導出されるように定義される。複数のアンテナを用いてデータを送受信する複数入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０２０３】
本発明の実施例において、端末又はＵＥは、上りリンクでは送信装置１０として動作して、下りリンクでは受信装置２０として動作する。本発明の実施例において、基地局又はｅＮＢは、上りリンクでは受信装置２０として動作して、下りリンクでは送信装置１０として動作する。
【０２０４】
前記送信装置及び／又は前記受信装置は、上述した本発明の実施例のうち少なくとも１つ又は２つ以上の実施例の組み合わせを行うことができる。
【０２０５】
このような実施例の１つとして、無線通信システムにおいて、下りリンク信号を復号する端末が提案される。前記端末は、送信器及び受信器と、前記送信器及び受信器を制御するように構成されたプロセッサと、を含み、前記プロセッサは、基地局から半持続的ゼロパワーチャネル状態情報−参照信号（ｓｅｍｉ−ｐｅｒｓｉｓｔｅｎｔ  ｚｅｒｏ  ｐｏｗｅｒ−ｃｈａｎｎｅｌ  ｓｔａｔｅ  ｉｎｆｏｒｍａｔｉｏｎ  ｒｅｆｅｒｅｎｃｅ  ｓｉｇｎａｌ；ＳＰ  ＺＰ  ＣＳＩ−ＲＳ）リソース設定を受信し、前記ＳＰ  ＺＰ  ＣＳＩ−ＲＳリソース設定に従って、下りリンク信号を復号し、前記ＳＰ  ＺＰ  ＣＳＩ−ＲＳリソース設定は、複数のＳＰ  ＺＰ  ＣＳＩ−ＲＳリソースを含み、各ＳＰ  ＺＰ  ＣＳＩ−ＲＳリソースを使用するか否かが前記基地局から指示又は設定される。
【０２０６】
追加又は代案として、前記ＳＰ  ＺＰ  ＣＳＩ−ＲＳリソース設定は、前記端末の測定のためのリソース設定とは独立している。
【０２０７】
追加又は代案として、前記プロセッサは、前記ＳＰ  ＺＰ  ＣＳＩ−ＲＳ  リソース設定に従って、前記リソース設定において指示する周期及びオフセットに応じて、イネーブルされたＳＰ  ＺＰ  ＣＳＩ−ＲＳリソースにおいてレートマッチングを行う。
【０２０８】
追加又は代案として、前記ＳＰ  ＺＰ  ＣＳＩ−ＲＳリソースをイネーブル又はディセーブルするための信号は、ＤＣＩ（ｄｏｗｎｌｉｎｋ  ｃｏｎｔｒｏｌ  ｉｎｆｏｒｍａｔｉｏｎ）又はＭＡＣ（ｍｅｄｉｕｍ  ａｃｃｅｓｓ  ｃｏｎｔｒｏｌ）シグナリングを含む。
【０２０９】
追加又は代案として、前記各ＳＰ  ＺＰ  ＣＳＩ−ＲＳリソースは周波数設定を有する。また、前記周波数設定は、前記ＳＰ  ＺＰ  ＣＳＩ−ＲＳリソース設定とは別のシグナリングで与えられる。
【０２１０】
追加又は代案として、前記各ＳＰ  ＺＰ  ＣＳＩ−ＲＳリソースは、前記基地局が用いる送信ビームと連携され、前記下りリンク信号の復号に前記送信ビームに連携されたＳＰ  ＺＰ  ＣＳＩ−ＲＳリソースが用いられる。
【０２１１】
以上開示した本発明の好適な実施の形態に関する詳細な説明は、当業者が本発明を具現化して実施できるように提供された。以上では本発明の好適な実施の形態を参照して説明したが、当該技術の分野における熟練した当業者にとっては上述の説明から本発明を様々に修正及び変更可能であるということが理解できる。したがって、本発明は、ここに開示した実施の形態に制限されるものではなく、ここに開示した原理及び新規な特徴と一致する最も広い範囲を与えようとするものである。
【産業上の利用可能性】
【０２１２】
本発明は、端末、リレー、基地局などのような無線通信装置に用いられることができる。
【図１】
2020507973.tif 000024
【図２】
2020507973.tif 000025
【図３】
2020507973.tif 000026
【図４】
2020507973.tif 000027
【図５】
2020507973.tif 000028
【図６】
2020507973.tif 000029
【図７】
2020507973.tif 000030
【図８】
2020507973.tif 000031
【図９】
2020507973.tif 000032
【図１０】
2020507973.tif 000033
【図１１】
2020507973.tif 000034
【図１２】
2020507973.tif 000035
【図１３】
2020507973.tif 000036
【図１４】
2020507973.tif 000037
【図１５】
2020507973.tif 000038
【図１６】
2020507973.tif 000039
【図１７】
2020507973.tif 000040
【図１８】
2020507973.tif 000041
【図１９】
2020507973.tif 000042
【国際調査報告】
2020507973.tif 000043
2020507973.tif 000044
2020507973.tif 000045
2020507973.tif 000046